(57)【要約】【課題】工事作業者が設置現場でマルチ入出力端子の設定および配線方法を容易に把握可能とする。【解決手段】筐体表面１２のうちＵＩＦ１６を構成するマルチ入出力端子１４Ａの近傍位置に設けられて、当該ＵＩＦ１６がサポートするインターフェース種別ごとに、マルチ入出力端子１４Ａと信号配線との接続関係が記述された配線表２１を備え、配線表２１は、インターフェース種別の種別名が列記されているインターフェース種別欄２２と、インターフェース種別欄２２の各種別名と対応する位置に、当該種別名のインターフェース種別を適用した際に接続すべきマルチ入出力端子１４Ａと信号配線との接続関係が記述されている接続パターン欄２３と、インターフェース種別欄２２の各種別名と対応する位置に、当該種別名のインターフェース種別が実際に適用されていることを示す選択マークを表示するための表示欄が配置されている選択マーク表示欄２４とを含む。【選択図】  図１
2019133223.tif 000002
【特許請求の範囲】
【請求項１】
筐体表面に配置されて、扱う信号の信号種別および信号入出力を切替可能な複数のマルチ入出力端子を配線接続用の端子とするユニバーサルインターフェースと、
前記筐体表面のうち前記複数のマルチ入出力端子の近傍位置に設けられて、当該ユニバーサルインターフェースがサポートするインターフェース種別ごとに、これらマルチ入出力端子と信号配線との接続関係が記述された配線表とを備え、
前記配線表は、
前記インターフェース種別の種別名が列記されているインターフェース種別欄と、
前記インターフェース種別欄の各種別名と対応する位置に、当該種別名のインターフェース種別を適用した際に接続すべき前記マルチ入出力端子と信号配線との接続関係を示す接続パターンが記述されている接続パターン欄と、
前記インターフェース種別欄の各種別名と対応する位置に、当該種別名のインターフェース種別が実際に適用されていることを示す選択マークを表示するための表示欄が配置されている選択マーク表示欄とを含む
ことを特徴とする電子機器。
【請求項２】
請求項１に記載の電子機器において、
前記ユニバーサルインターフェースとして、互いに同一のインターフェース種別をサポートする複数のユニバーサルインターフェースと、前記配線表として、これらユニバーサルインターフェースのそれぞれに対応する配線表を備え、
前記複数のユニバーサルインターフェースのうち１のユニバーサルインターフェースに対応する第１の配線表は、
前記インターフェース種別欄からなる第１のインターフェース種別欄と、
前記接続パターン欄からなる第１の接続パターン欄と、
前記第１のインターフェース種別欄の各種別名と対応する位置に、当該種別名のインターフェース種別が前記１のユニバーサルインターフェースに実際に適用されていることを示す選択マークを表示するための表示欄が配置されている第１の選択マーク表示欄とを含み、
前記複数のユニバーサルインターフェースのうち余のユニバーサルインターフェースに対応する第２の配線表は、
前記インターフェース種別欄からなる第２のインターフェース種別欄と、
前記第２のインターフェース種別欄の各種別名と対応する位置に、当該種別名のインターフェース種別が前記１のユニバーサルインターフェースに実際に適用されていることを示す選択マークを表示するための表示欄が配置されている第２の選択マーク表示欄とを含む
ことを特徴とする電子機器。
【請求項３】
請求項１に記載の電子機器において、
前記ユニバーサルインターフェースを複数備え、
前記選択マーク表示欄は、前記インターフェース種別欄の各種別名と対応する位置に、当該種別名のインターフェース種別が実際に適用されていることを示す選択マークを表示するための表示欄が、前記ユニバーサルインターフェースごとに、前記ユニバーサルインターフェースの並び順で碁盤目状に配置されている
ことを特徴とする電子機器。
【請求項４】
筐体表面に配置されて、扱う信号の信号種別および信号入出力を切替可能な複数のマルチ入出力端子を配線接続用の端子とするユニバーサルインターフェースと、
前記筐体表面に配置されて、当該ユニバーサルインターフェースがサポートする複数のインターフェース種別のうちから、実際に適用するインターフェース種別を操作に応じて切替選択するスイッチと、
前記筐体表面のうち前記スイッチの近傍位置に設けられて、前記ユニバーサルインターフェースがサポートする複数のインターフェース種別ごとに、これらマルチ入出力端子と信号配線との接続関係が記述された配線表とを備え、
前記配線表は、
前記インターフェース種別の種別名が列記されているインターフェース種別欄と、
前記インターフェース種別ごとに、当該インターフェース種別を適用した際に接続すべき前記マルチ入出力端子と信号配線との接続関係を示す接続パターンが記述されている接続パターン欄とを含み、
前記スイッチの選択位置で選択されるインターフェース種別に関する、前記接続パターン欄内の接続パターンが、前記選択位置と対応して配置されている
ことを特徴とする電子機器。
【請求項５】
請求項１〜請求項４のいずれかに記載の電子機器において、
前記接続パターンは、前記マルチ入出力端子の配置方向である第１の方向に沿って配置された前記マルチ入出力端子と対応する位置に、それぞれのマルチ入出力端子に接続すべき信号配線を示す信号配線記号が記述されており、
前記インターフェース種別欄の種別名、および、前記接続パターン欄の接続パターンは、前記第１の方向と直交する第２の方向に沿って列記されている
ことを特徴とする電子機器。
【発明の詳細な説明】
【技術分野】
【０００１】
本発明は、産業用コントローラやフィールド機器などの電子機器で用いられて、各端子に接続すべき配線を表示するための配線表示技術に関する。
【背景技術】
【０００２】
産業用コントローラ、Ｉ／Ｏモジュール、調節計、フィールド機器などの電子機器では、各種の装置や機器との配線を接続するための端子として、マルチ入出力端子が用いられている（例えば、特許文献１など参照）。マルチ入出力端子は、これら端子に対する機器内部の設定を回路制御あるいはメカニカルスイッチで切り替えることで、これら端子を、例えばアナログ信号／デジタル信号、電圧信号／電流信号、測温抵抗体用信号など、各種信号の入力あるいは出力に使用可能な端子である。これにより、搭載可能な限られた数の端子で、多くの種類のインターフェースに対応することができ、機器の省スペース化に加えて機器の汎用性を大幅に拡大することが可能となる。
【先行技術文献】
【特許文献】
【０００３】
【特許文献１】特表２０１３−５３５１７９号公報
【発明の概要】
【発明が解決しようとする課題】
【０００４】
しかしながら、このような従来の電子機器によれば、搭載されているマルチ入出力端子の周囲には、従来の固定的な端子と同様に、端子名や端子番号だけが固定的に表示されているだけである。このため、各マルチ入出力端子が機器内部の設定によりどのような設定に切り替えられているかは、電子機器の外観から把握することができないという問題点があった。したがって、工事作業者が設置現場で電子機器のマルチ入出力端子に各種の配線を接続する際、各マルチ入出力端子がどのような設定に切り替えられているかを確認しながら、配線を接続する必要があるため、作業負担が増大するだけでなく配線接続のミスが発生する原因になるというような問題点があった。
【０００５】
本発明はこのような課題を解決するためのものであり、工事作業者が設置現場でマルチ入出力端子の設定および配線方法を容易に把握できる配線表示技術を提供することを目的としている。
【課題を解決するための手段】
【０００６】
このような目的を達成するために、本発明にかかる電子機器は、  筐体表面に配置されて、扱う信号の信号種別および信号入出力を切替可能な複数のマルチ入出力端子を配線接続用の端子とするユニバーサルインターフェースと、前記筐体表面のうち前記複数のマルチ入出力端子の近傍位置に設けられて、当該ユニバーサルインターフェースがサポートするインターフェース種別ごとに、これらマルチ入出力端子と信号配線との接続関係が記述された配線表とを備え、前記配線表は、前記インターフェース種別の種別名が列記されているインターフェース種別欄と、前記インターフェース種別欄の各種別名と対応する位置に、当該種別名のインターフェース種別を適用した際に接続すべき前記マルチ入出力端子と信号配線との接続関係を示す接続パターンが記述されている接続パターン欄と、前記インターフェース種別欄の各種別名と対応する位置に、当該種別名のインターフェース種別が実際に適用されていることを示す選択マークを表示するための表示欄が配置されている選択マーク表示欄とを含むものである。
【０００７】
また、本発明にかかる上記電子機器の一構成例は、前記ユニバーサルインターフェースとして、互いに同一のインターフェース種別をサポートする複数のユニバーサルインターフェースと、前記配線表として、これらユニバーサルインターフェースのそれぞれに対応する配線表を備え、前記複数のユニバーサルインターフェースのうち１のユニバーサルインターフェースに対応する第１の配線表は、前記インターフェース種別欄からなる第１のインターフェース種別欄と、前記接続パターン欄からなる第１の接続パターン欄と、前記第１のインターフェース種別欄の各種別名と対応する位置に、当該種別名のインターフェース種別が前記１のユニバーサルインターフェースに実際に適用されていることを示す選択マークを表示するための表示欄が配置されている第１の選択マーク表示欄とを含み、前記複数のユニバーサルインターフェースのうち余のユニバーサルインターフェースに対応する第２の配線表は、前記インターフェース種別欄からなる第２のインターフェース種別欄と、前記第２のインターフェース種別欄の各種別名と対応する位置に、当該種別名のインターフェース種別が前記１のユニバーサルインターフェースに実際に適用されていることを示す選択マークを表示するための表示欄が配置されている第２の選択マーク表示欄とを含むものである。
【０００８】
また、本発明にかかる上記電子機器の一構成例は、前記ユニバーサルインターフェースを複数備え、前記選択マーク表示欄は、前記インターフェース種別欄の各種別名と対応する位置に、当該種別名のインターフェース種別が実際に適用されていることを示す選択マークを表示するための表示欄が、前記ユニバーサルインターフェースごとに、前記ユニバーサルインターフェースの並び順で碁盤目状に配置されているものである。
【０００９】
また、本発明にかかる他の電子機器は、筐体表面に配置されて、扱う信号の信号種別および信号入出力を切替可能な複数のマルチ入出力端子を配線接続用の端子とするユニバーサルインターフェースと、前記筐体表面に配置されて、当該ユニバーサルインターフェースがサポートする複数のインターフェース種別のうちから、実際に適用するインターフェース種別を操作に応じて切替選択するスイッチと、前記筐体表面のうち前記スイッチの近傍位置に設けられて、前記ユニバーサルインターフェースがサポートする複数のインターフェース種別ごとに、これらマルチ入出力端子と信号配線との接続関係が記述された配線表とを備え、前記配線表は、前記インターフェース種別の種別名が列記されているインターフェース種別欄と、前記インターフェース種別ごとに、当該インターフェース種別を適用した際に接続すべき前記マルチ入出力端子と信号配線との接続関係を示す接続パターンが記述されている接続パターン欄とを含み、前記スイッチの選択位置で選択されるインターフェース種別に関する、前記接続パターン欄内の接続パターンが、前記選択位置と対応して配置されているものである。
【００１０】
また、本発明にかかる上記電子機器の一構成例は、前記接続パターンが、前記マルチ入出力端子の配置方向である第１の方向に沿って配置された前記マルチ入出力端子と対応する位置に、それぞれのマルチ入出力端子に接続すべき信号配線を示す信号配線記号が記述されており、前記インターフェース種別欄の種別名、および、前記接続パターン欄の接続パターンは、前記第１の方向と直交する第２の方向に沿って列記されているものである。
【発明の効果】
【００１１】
本発明によれば、電子機器のユニバーサルインターフェースにインターフェース種別を割り当てた時点で、電子機器の選択マーク表示欄のうち、実際に適用したインターフェース種別と対応する表示欄に選択マークを表示することができる。したがって、工事作業者が設置現場で、配線表における選択マークの表示位置を確認するだけで、マルチ入出力端子の設定および配線方法、すなわち、ユニバーサルインターフェースにどのインターフェース種別が割り当てられており、どの接続パターンでユニバーサルインターフェースの各マルチ入出力端子に信号配線を接続すればよいかを、極めて容易に把握することが可能となる。
【図面の簡単な説明】
【００１２】
【図１】第１の実施の形態にかかる電子機器の要部を示す外観図である。
【図２】選択マーク表示欄の構成例である。
【図３】第２の実施の形態にかかる電子機器の要部を示す外観図である。
【図４】第３の実施の形態にかかる電子機器の要部を示す外観図である。
【図５】第３の実施の形態にかかる電子機器の要部を示す他の外観図である。
【図６】第４の実施の形態にかかる電子機器の要部を示す外観図である。
【図７】第４の実施の形態にかかる電子機器の要部を示す他の外観図である。
【図８】第５の実施の形態にかかる電子機器の要部を示す外観図である。
【発明を実施するための形態】
【００１３】
次に、本発明の実施の形態について図面を参照して説明する。
［第１の実施の形態］
まず、図１を参照して、本発明の第１の実施の形態にかかる電子機器１０について説明する。図１は、第１の実施の形態にかかる電子機器の要部を示す外観図である。
【００１４】
この電子機器１０は、産業用コントローラ、Ｉ／Ｏモジュール、調節計、フィールド機器などの電子機器からなり、外部インターフェース（外部ポート）を介して各種の装置や機器と信号をやり取りする機能を有している。
外部インターフェースには、各種の装置や機器からの配線を接続するための端子として、マルチ入出力端子を備えているユニバーサルインターフェース（ユニバーサルポート）がある。マルチ入出力端子は、これら端子に対する機器内部の設定を回路制御やソフトウェア制御、あるいはメカニカルスイッチ等で切り替えることで、これら端子を、例えばアナログ信号／デジタル信号、電圧信号／電流信号、測温抵抗体用信号など、各種信号の入力あるいは出力に使用可能な端子である。
【００１５】
図１に示すように、電子機器１０のうち筐体１１を構成する筐体表面１２には、配線接続用の複数の端子１４を持つ端子台１３が配置されている。これら端子１４の一部または全部に、扱う信号の信号種別および信号入出力を切替可能な複数のマルチ入出力端子１４Ａが設けられている。
筐体表面１２のうち端子台１３の近傍位置には、マルチ入出力端子１４Ａを含む各端子１４に関する端子表１５が配置されている。
【００１６】
端子表１５には、各端子に関する端子番号１５Ａおよび端子記号１５Ｂと、複数の端子の組からなるインターフェース名１５Ｃとが含まれている。
例えば図１では、端子台１３に１２個の端子１４が方向Ｘ（第１の方向）に沿って直線状に配置されており、各端子１４には、紙面に向かって左端から順に、端子番号「４」，「５」，「６」，…，「１５」が割り振られている。
【００１７】
これら端子１４のうち、端子台１３の左端に位置する、端子番号１５Ａが「４」，「５」，「６」である３つの端子１４がマルチ入出力端子１４Ａであり、端子記号１５Ｂとして「Ａ」，「Ｂ」，「Ｃ」が割り当てられており、これら３つの端子から構成されるユニバーサルインターフェース（以下ＵＩＦという：Universal InterFace）１６のインターフェース名１５Ｃとして「ＵＩO１」が割り当てられている。
【００１８】
また、筐体表面１２のうちＵＩＦ１６を構成するマルチ入出力端子１４Ａの近傍位置には、ＵＩＦ１６がサポートするインターフェース種別ごとに、マルチ入出力端子１４Ａと信号配線との接続関係が記述された配線表２１が配置されている。
配線表２１は、インターフェース種別欄２２、接続パターン欄２３、および選択マーク表示欄２４とを含んでいる。
【００１９】
インターフェース種別欄２２には、ＵＩＦ１６がサポートする複数のインターフェース種別が、ＵＩＦ１６のマルチ入出力端子１４Ａが配置されている方向Ｘと直交する方向Ｙ（第２の方向）に沿って列記されている。
選択マーク表示欄２４には、方向Ｙに沿ってインターフェース種別欄２２のインターフェース種別と対応する位置に、実際にＵＩＦ１６に適用されているインターフェース種別を示す選択マークを表示するための表示欄が配置されている。
【００２０】
図２は、選択マーク表示欄の構成例である。図２（ａ）に示すように、選択マーク表示欄２４の各表示欄は、インターフェース種別ごとに設けられた、作業者が筆記具でチェックマークなどの選択マークを記入するための記入欄２４Ｃで構成してもよい。これにより、極めて簡素な構成で選択マーク表示欄２４を構成できる。
【００２１】
また、図２（ｂ）に示すように、選択マーク表示欄２４の各表示欄は、インターフェース種別ごとに設けられたＬＥＤなどの表示素子２４Ｄで構成し、電子機器１０内部の設定に基づいて表示素子２４Ｄを駆動制御して、ユニバーサルインターフェースに適用したインターフェース種別と対応する表示素子２４Ｄの点灯で選択マークを表示するようにしてもよい。これにより、チェックマークの記入漏れを回避できるとともに、高い視認性を得ることができる。
これら、記入欄２４Ｃや表示素子２４Ｄについては、後述する他の実施の形態にも適用可能である。
【００２２】
接続パターン欄２３には、方向Ｙに沿ってインターフェース種別欄２２のインターフェース種別と対応する位置に、当該インターフェース種別を適用した際に用いる、マルチ入出力端子１４Ａと信号配線との接続関係を示す接続パターンが記述されている。
各接続パターンには、方向Ｘに沿って配置されたＵＩＦ１６で用いるマルチ入出力端子１４Ａを示す端子記号１５Ｂと対応する位置に、それぞれのマルチ入出力端子１４Ａに接続すべき信号配線を示す信号配線記号が記述されている。
【００２３】
例えば図１では、インターフェース種別欄２２には、ＵＩＦ１６である「ＵＩO１」がサポートする７つのインターフェース種別を示す種別名として「ＡＩ（Ｖ）」、「ＡＩ（Ｉ）」、「ＡＯ（Ｖ）」、「ＡＯ（Ｉ）」、「Ｐｔ１００」、「Ｐｔ１０００」、「ＤＩ」が記述されている。このうち、「ＡＩ」、「ＡＯ」、「ＤＩ」は、それぞれアナログ入力、アナログ出力、デジタル入力を示し、「（Ｖ）」、「（Ｉ）」は、それぞれ扱う信号が電圧信号および電流信号であることを示している。また、「Ｐｔ１００」、「Ｐｔ１０００」は、接続可能な測温抵抗体の種別を示している。
【００２４】
また、接続パターン欄２３には、種別名「ＡＩ（Ｖ）」、「ＡＩ（Ｉ）」、「ＡＯ（Ｖ）」、「ＡＯ（Ｉ）」、「Ｐｔ１００」、「Ｐｔ１０００」、「ＤＩ」と対応する位置に、それぞれの接続パターン「  −＋」、「  −＋」、「  −＋」、「＋  −」、「ＡＢＢ」、「ＡＢ  」、「＋−  」が記述されている。
したがって、「ＵＩO１」に「ＡＩ（Ｖ）」を適用した場合には「  −＋」という接続パターンを用い、「ＵＩO１」に「Ｐｔ１０００」を適用した場合には「ＡＢ  」という接続パターンを用いるべきことを、工事作業者が設置現場で極めて容易に把握することができる。
【００２５】
この際、「ＵＩO１」の接続パターンは、左からマルチ入出力端子１４Ａの端子「Ａ」，「Ｂ」，「Ｃ」のそれぞれに接続される信号配線を示しており、接続パターン「  −＋」の場合、端子「Ｂ」，「Ｃ」に、それぞれ負極性信号「−」と正極性信号「＋」を接続すべきことを示している。また端子「Ａ」の空欄「  」は、接続すべき信号がない空端子であることを表している。
また、接続パターン「ＡＢ  」の場合、マルチ入出力端子「Ａ」，「Ｂ」に、それぞれ測温抵抗体の端子「Ａ」と端子「Ｂ」を接続すべきことが示されている。なお、端子「Ｃ」の空欄は、接続すべき信号がない空端子であることを示している。
【００２６】
これら端子表１５や配線表２１については、シールに印刷したものを筐体表面１２に張り付ける手法のほか、筐体１１を樹脂成形後にパッド印刷やスクリーン印刷などの手法で筐体表面１２に印刷してもよく、筐体１１を樹脂成形する際、ホットスタンプやインモールド成形などの手法で筐体表面１２に印刷してもよい。また、筐体表面１２を樹脂成形する際、樹脂表面に凹凸で刻印してもよい。
【００２７】
［第１の実施の形態の効果］
このように、本実施の形態は、筐体表面１２のうちＵＩＦ１６を構成するマルチ入出力端子１４Ａの近傍位置に設けられて、当該ＵＩＦ１６がサポートするインターフェース種別ごとに、これらマルチ入出力端子１４Ａと信号配線との接続関係が記述された配線表２１を備え、配線表２１は、インターフェース種別の種別名が列記されているインターフェース種別欄２２と、インターフェース種別欄２２の各種別名と対応する位置に、当該種別名のインターフェース種別を適用した際に接続すべきマルチ入出力端子１４Ａと信号配線との接続関係が記述されている接続パターン欄２３と、インターフェース種別欄２２の各種別名と対応する位置に、当該種別名のインターフェース種別が実際に適用されていることを示す選択マークを表示するための表示欄が配置されている選択マーク表示欄２４とを含むものである。
【００２８】
これにより、電子機器１０のＵＩＦ１６にインターフェース種別を割り当てた時点で、電子機器１０の選択マーク表示欄２４のうち、実際に適用したインターフェース種別と対応する表示欄で選択マークを表示することができる。したがって、工事作業者が設置現場で、配線表２１における選択マークの表示位置を確認するだけで、マルチ入出力端子１４Ａの設定および配線方法、すなわち、ＵＩＦ１６にどのインターフェース種別が割り当てられており、どの接続パターンでＵＩＦ１６の各マルチ入出力端子１４Ａに信号配線を接続すればよいかを、極めて容易に把握することが可能となる。
【００２９】
また、本実施の形態において、接続パターン欄２３の接続パターンは、マルチ入出力端子１４Ａの配置方向である方向Ｘ（第１の方向）に沿って配置されたマルチ入出力端子１４Ａと対応する位置に、それぞれのマルチ入出力端子１４Ａに接続すべき信号配線を示す信号配線記号を記述し、インターフェース種別欄２２の種別名、および、接続パターン欄２３の接続パターンを、方向Ｘと直交する方向Ｙ（第２の方向）に沿って列記するようにしてもよい。
したがって、マルチ入出力端子１４Ａの配置方向と接続パターンの信号配線記号の記述方向とが一致しているため、工事作業者が設置現場で、各信号配線の接続位置を直感的に把握することができ、信号配線の接続ミスを大幅に低減することができる。
【００３０】
［第２の実施の形態］
次に、図３を参照して、本発明の第２の実施の形態にかかる電子機器１０について説明する。図３は、第２の実施の形態にかかる電子機器の要部を示す外観図である。
本実施の形態では、ユニバーサルインターフェースを複数備えている場合について説明する。
【００３１】
図３に示すように、本実施の形態にかかる電子機器１０には、ユニバーサルインターフェース（ＵＩＦ）として、互いに同一のインターフェース種別をサポートする、２つのＵＩＦ（１のユニバーサルインターフェース）１６ＡとＵＩＦ（余のユニバーサルインターフェース）１６Ｂとが設けられている。以下では、ユニバーサルインターフェースを２つ備えている場合を例として説明するが、ＵＩＦ１６Ｂに相当する余のユニバーサルインターフェースを複数備える場合にも同様にして本実施の形態を適用できる。
【００３２】
このうち、ＵＩＦ１６Ａは、図１のＵＩＦ１６に相当し、端子台１３の左端に位置する、端子番号１５Ａが「４」，「５」，「６」である３つのマルチ入出力端子１４Ａからなり、端子記号１５Ｂとして「Ａ」，「Ｂ」，「Ｃ」が割り当てられており、インターフェース名１５Ｃとして「ＵＩO１」が割り当てられている。
ＵＩＦ１６Ｂは、端子台１３の右端に位置する、端子番号１５Ａが「１３」，「１４」，「１５」である３つのマルチ入出力端子１４Ａからなり、端子記号１５Ｂとして「Ａ」，「Ｂ」，「Ｃ」が割り当てられており、インターフェース名１５Ｃとして「ＵＩO２」が割り当てられている。
【００３３】
筐体表面１２のうちＵＩＦ１６Ａを構成するマルチ入出力端子１４Ａの近傍位置には、ＵＩＦ１６Ａに関する配線表として、図１の配線表２１に相当する配線表（１の配線表）２１Ａが配置されており、図１のインターフェース種別欄２２、接続パターン欄２３、および選択マーク表示欄２４に相当する、インターフェース種別欄（第１のインターフェース種別欄）２２Ａ、接続パターン欄（第１の接続パターン欄）２３Ａ、および選択マーク表示欄（第１の選択マーク表示欄）２４Ａを含んでいる。
【００３４】
また、筐体表面１２のうちＵＩＦ１６Ｂを構成するマルチ入出力端子１４Ａの近傍位置には、ＵＩＦ１６Ｂに関する配線表（余の配線表）２１Ｂが配置されている。
配線表２１Ｂは、インターフェース種別欄（第２のインターフェース種別欄）２２Ｂと選択マーク表示欄（第２の選択マーク表示欄）２４Ｂとを含んでおり、接続パターン欄は接続パターン欄２３Ａを共用するため、配線表２１Ｂから省かれている。
【００３５】
選択マーク表示欄２４Ａには、インターフェース種別欄２２Ａの各種別名と対応する位置に、インターフェース種別ごとに設けられた、当該種別名のインターフェース種別がＵＩＦ１６Ａに実際に適用されていることを示す選択マークを表示するための表示欄が配置されている。
また、選択マーク表示欄２４Ｂには、インターフェース種別欄２２Ｂの各種別名と対応する位置に、インターフェース種別ごとに設けられた、当該種別名のインターフェース種別がＵＩＦ１６Ｂに実際に適用されていることを示す選択マークを表示するための表示欄が配置されている。
【００３６】
［第２の実施の形態の効果］
このように、本実施の形態は、互いに同一のインターフェース種別をサポートする、複数のＵＩＦ１６Ａ，１６Ｂが設けられている場合には、それぞれに対応して設けた配線表２１Ａ，２１Ｂのうち、いずれか１つの配線表から接続パターン欄２３を省くようにしたものである。
これにより、筐体表面１２における、重複した煩雑な記述を削減することができ、ＵＩＦ数が２つある場合でも、工事作業者による配線表２１Ａ，２１Ｂの視認性の低下を抑制することができる。
【００３７】
［第３の実施の形態］
次に、図４を参照して、本発明の第３の実施の形態にかかる電子機器１０について説明する。図４は、第３の実施の形態にかかる電子機器の要部を示す外観図である。
本実施の形態では、ユニバーサルインターフェース（ＵＩＦ）を複数備えている場合を例として説明する。
【００３８】
図４に示すように、本実施の形態にかかる電子機器１０には、ＵＩＦとして、互いに同一のインターフェース種別がサポートする、４つのＵＩＦ１６Ａ，１６Ｂ，１６Ｃ，１６Ｄが設けられている。
【００３９】
このうち、ＵＩＦ１６Ａは、図１のＵＩＦ１６に相当し、端子台１３の左端に位置する、端子番号１５Ａが「４」，「５」，「６」である３つのマルチ入出力端子１４Ａからなり、端子記号１５Ｂとして「Ａ」，「Ｂ」，「Ｃ」が割り当てられており、インターフェース名１５Ｃとして「ＵＩO１」が割り当てられている。
また、ＵＩＦ１６Ｂは、端子台１３の中央左端に位置する、端子番号１５Ａが「７」，「８」，「９」である３つのマルチ入出力端子１４Ａからなり、端子記号１５Ｂとして「Ａ」，「Ｂ」，「Ｃ」が割り当てられており、インターフェース名１５Ｃとして「ＵＩO２」が割り当てられている。
【００４０】
また、ＵＩＦ１６Ｃは、端子台１３の中央左端に位置する、端子番号１５Ａが「１０」，「１１」，「１２」である３つのマルチ入出力端子１４Ａからなり、端子記号１５Ｂとして「Ａ」，「Ｂ」，「Ｃ」が割り当てられており、インターフェース名１５Ｃとして「ＵＩO３」が割り当てられている。
また、ＵＩＦ１６Ｄは、端子台１３の右端に位置する、端子番号１５Ａが「１３」，「１４」，「１５」である３つのマルチ入出力端子１４Ａからなり、端子記号１５Ｂとして「Ａ」，「Ｂ」，「Ｃ」が割り当てられており、インターフェース名１５Ｃとして「ＵＩO４」が割り当てられている。
【００４１】
筐体表面１２のうちＵＩＦ１６Ａを構成するマルチ入出力端子１４Ａの近傍位置には、ＵＩＦ１６Ａ，ＵＩＦ１６Ｂ，ＵＩＦ１６Ｃ，ＵＩＦ１６Ｄで共用する配線表として、図１の配線表２１に相当する配線表２１が配置されており、図１と同様の接続パターン欄２３および選択マーク表示欄２４を含んでいる。また、配線表２１には、図１のインターフェース種別欄２２に相当する２つのインターフェース種別欄２２Ａ，２２Ｂが含まれている。このうち、インターフェース種別欄２２Ａは、方向Ｘに沿って接続パターン欄２３と隣接する位置に配置されており、インターフェース種別欄２２Ｂは、方向Ｘに沿って接続パターン欄２３と隣接する位置に配置されている。
【００４２】
選択マーク表示欄２４には、インターフェース種別欄２２Ａの各種別名と対応する位置に、当該種別名のインターフェース種別が実際に適用されていることを示す選択マークを表示するための表示欄が、ＵＩＦ１６Ａ，ＵＩＦ１６Ｂ，ＵＩＦ１６Ｃ，ＵＩＦ１６Ｄごとに、これらＵＩＦ１６Ａ，ＵＩＦ１６Ｂ，ＵＩＦ１６Ｃ，ＵＩＦ１６Ｄの方向Ｘに沿った並び順で碁盤目状に配置されている。これにより、ＵＩＦが複数設けられている場合、各ＵＩＦの選択マーク表示欄２４を１つにまとめることができる。
【００４３】
図４の例では、図１に示したように、インターフェース種別欄２２、接続パターン欄２３、および選択マーク表示欄２４を、方向Ｘに沿って並べて配置するスペースが筐体表面１２に確保できないため、接続パターン欄２３と選択マーク表示欄２４を方向Ｙに沿って並べて配置されている。このため、図１のインターフェース種別欄２２を２つのインターフェース種別欄２２Ａ，２２Ｂに分割して配置したものである。
【００４４】
また、インターフェース種別欄２２Ｂと接続パターン欄２３については、接続パターンが同じインターフェース種別が１つにまとめて記述されている。具体的には、図１に示したように、インターフェース種別「ＡＩ（Ｖ）」と「ＡＩ（Ｉ）」とは、同じ接続パターン「  −＋」であるため、図３では１つのインターフェース種別「ＡＩ」にまとめて記述されている。これにより、接続パターン欄２３の記述に要するスペースを削減することができる。
【００４５】
図５は、第３の実施の形態にかかる電子機器の要部を示す他の外観図である。仮に、図１に示したように、インターフェース種別欄２２、接続パターン欄２３、および選択マーク表示欄２４を、方向Ｘに沿って並べるスペースがあれば、図５に示すように、インターフェース種別欄２２Ａ，２２Ｂを１つのインターフェース種別欄２２にまとめてもよい。
【００４６】
［第３の実施の形態の効果］
このように、本実施の形態は、ＵＩＦ１６が複数設けられている場合、選択マーク表示欄２４において、インターフェース種別欄２２Ａの各種別名と対応する位置に、当該種別名のインターフェース種別が実際に適用されていることを示す選択マークを表示するための表示欄を、ＵＩＦ１６ごとに、ＵＩＦ１６の並び順で碁盤目状に配置することにより、各ＵＩＦ１６の選択マーク表示欄２４を１つにまとめるようにしたものである。
これにより、筐体表面１２における、重複した煩雑な記述を削減することができ、ＵＩＦ１６が複数ある場合でも、工事作業者による配線表２１の視認性の低下を抑制することができる。
【００４７】
［第４の実施の形態］
次に、図６を参照して、本発明の第４の実施の形態にかかる電子機器１０について説明する。図６は、第４の実施の形態にかかる電子機器の要部を示す外観図である。
本実施の形態では、ユニバーサルインターフェース（ＵＩＦ）に適用するインターフェース種別を切替選択するためのロータリースイッチ（スイッチ）２５が設けられている場合について説明する。
【００４８】
図６に示すように、本実施の形態にかかる電子機器１０には、図１と同様に、ＵＩＦとして、１つのＵＩＦ１６が設けられている。また、筐体表面１２には、ＵＩＦ１６がサポートする複数のインターフェース種別のうちから、実際に適用するインターフェース種別を操作に応じて切替選択するロータリースイッチ２５が配置されている。
【００４９】
ＵＩＦ１６は、図１のＵＩＦ１６に相当し、端子台１３の左端に位置する、端子番号１５Ａが「４」，「５」，「６」である３つのマルチ入出力端子１４Ａからなり、端子記号１５Ｂとして「Ａ」，「Ｂ」，「Ｃ」が割り当てられており、インターフェース名１５Ｃとして「ＵＩO１」が割り当てられている。
【００５０】
筐体表面１２のうちロータリースイッチ２５の近傍位置には、ＵＩＦ１６に関する配線表として、図１の配線表２１に相当する配線表２１が配置されており、インターフェース種別欄２２、接続パターン欄２３、および指示線２６を含んでいる。
インターフェース種別欄２２および接続パターン欄２３は、図１のインターフェース種別欄２２および接続パターン欄２３に相当する。
【００５１】
この際、インターフェース種別欄２２内の種別名や、接続パターン欄２３内に記述されている接続パターン（接続関係）は、ロータリースイッチ２５の選択位置で選択されるインターフェース種別と対応して配置されている。
指示線２６は、ロータリースイッチ２５の選択位置ごとに配置された、当該選択位置と当該選択位置で選択される、インターフェース種別に関するインターフェース種別欄２２内の種別名や、接続パターン欄２３内に記述されている接続パターン（接続関係）とを結ぶ線である。
【００５２】
図７は、第４の実施の形態にかかる電子機器の要部を示す他の外観図である。インターフェース種別の切り替えるスイッチについては、ロータリースイッチ２５に限定されるものではない。図７（ａ）に示すように、スライドスイッチ２５Ａを用いてＵＩＦ１６に適用するインターフェース種別を切り替えてもよい。この場合もロータリースイッチ２５と同様に、インターフェース種別欄２２、接続パターン欄２３、および指示線２６から配線表２１を構成すればよい。なお、図７（ｂ）に示すように、スライドスイッチ２５Ａの切替位置と対応する位置にインターフェース種別欄２２の各種別名を記述可能な場合には、指示線２６を省いてもよい。
【００５３】
また、図７（ｃ）に示すように、ＤＩＰスイッチ２５Ｂを用いてＵＩＦ１６に適用するインターフェース種別を切り替えてもよい。この場合もロータリースイッチ２５と同様に、インターフェース種別欄２２、接続パターン欄２３、および指示線２６から配線表２１を構成すればよい。
【００５４】
［第４の実施の形態の効果］
このように、本実施の形態は、筐体表面１２にインターフェース種別切替選択用のスイッチ２５が設けられている場合には、スイッチ２５の近傍位置に配線表２１を設け、この配線表２１のうち、スイッチ２５の選択位置で選択されるインターフェース種別に関する、接続パターン欄２３内の接続パターンを、スイッチ２５の選択位置と対応して配置するようにしたものである。
これにより、ロータリースイッチ２５の回転位置に基づいて、ＵＩＦ１６に実際に適用されているインターフェース種別を視認できるだけでなく、そのインターフェース種別に対応した接続パターンを容易に把握することができ、選択マーク表示欄２４を省くことができる。
【００５５】
［第５の実施の形態］
次に、図８を参照して、本発明の第５の実施の形態にかかる電子機器１０について説明する。図８は、第５の実施の形態にかかる電子機器の要部を示す外観図である。
本実施の形態では、図１〜図７で説明したマルチ入出力端子１４Ａの配置方向である方向Ｘと直交する方向Ｙに沿って、マルチ入出力端子１４Ａが配置されている場合について説明する。
【００５６】
図８に示すように、本実施の形態にかかる電子機器１０には、方向Ｙに沿って配置された３つのマルチ入出力端子１４ＡからなるＵＩＦ１６が設けられている。これらマルチ入出力端子１４Ａは、端子番号１５Ａが「６」，「７」，「８」であって、端子記号１５Ｂとして「Ａ」，「Ｂ」，「Ｃ」が割り当てられている。
また、ＵＩＦ１６を構成するマルチ入出力端子１４Ａの近傍位置には配線表２１が配置されており、この配線表２１には、図１と同様にインターフェース種別欄２２、接続パターン欄２３、および選択マーク表示欄２４が含まれている。
【００５７】
インターフェース種別欄２２には、ＵＩＦ１６がサポートする複数のインターフェース種別が、ＵＩＦ１６のマルチ入出力端子１４Ａが配置されている方向Ｙと直交する方向Ｘに沿って列記されている。
選択マーク表示欄２４には、方向Ｘに沿ってインターフェース種別欄２２のインターフェース種別と対応する位置に、実際にＵＩＦ１６に適用されているインターフェース種別を示す選択マークを表示するための表示欄が配置されている。
【００５８】
接続パターン欄２３には、方向Ｘに沿ってインターフェース種別欄２２のインターフェース種別と対応する位置に、当該インターフェース種別を適用した際に用いる、マルチ入出力端子１４Ａと信号配線との接続関係を示す接続パターンが記述されている。
各接続パターンには、方向Ｙに沿って配置されたＵＩＦ１６で用いるマルチ入出力端子１４Ａを示す端子記号１５Ｂと対応する位置に、それぞれのマルチ入出力端子１４Ａに接続すべき信号配線を示す信号配線記号が記述されている。
【００５９】
［第５の実施の形態の効果］
このように、本実施の形態は、配線表２１のうち、接続パターンについては、マルチ入出力端子１４Ａの配置方向である方向Ｘ（第１の方向）に沿って配置されたマルチ入出力端子１４Ａと対応する位置に、それぞれのマルチ入出力端子１４Ａに接続すべき信号配線を示す信号配線記号を記述し、インターフェース種別欄２２の種別名、および、接続パターン欄２３の接続パターンについては、方向Ｘと直交する方向Ｙ（第２の方向）に沿って列記したものである。
したがって、マルチ入出力端子１４Ａの配置方向が前述とは異なる場合でも、マルチ入出力端子１４Ａの配置方向と接続パターンの信号配線記号の記述方向とが一致しているため、工事作業者が設置現場で、各信号配線の接続位置を直感的に把握することができ、信号配線の接続ミスを大幅に低減することができる。
【００６０】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。また、各実施形態については、矛盾しない範囲で任意に組み合わせて実施することができる。
【符号の説明】
【００６１】
１０…電子機器、１１…筐体、１２…筐体表面、１３…端子台、１４…端子、１４Ａ…マルチ入出力端子、１５…端子表、１５Ａ…端子番号、１５Ｂ…端子記号、１５Ｃ…インターフェース名、１６，１６Ａ，１６Ｂ，１６Ｃ，１６Ｄ…ユニバーサルインターフェース（ＵＩＦ）、２１，２１Ａ，２１Ｂ…配線表、２２，２２Ａ，２２Ｂ…インターフェース種別欄、２３，２３Ａ…接続パターン欄、２４，２４Ａ，２４Ｂ…選択マーク表示欄、２４Ｃ…記入欄、２４Ｄ…表示素子、２５…ロータリースイッチ、２５Ａ…スライドスイッチ、２５Ｂ…ＤＩＰスイッチ、２６…指示線。
【図１】
2019133223.tif 000003
【図２】
2019133223.tif 000004
【図３】
2019133223.tif 000005
【図４】
2019133223.tif 000006
【図５】
2019133223.tif 000007
【図６】
2019133223.tif 000008
【図７】
2019133223.tif 000009
【図８】
2019133223.tif 000010